(57)【要約】【課題】防水性であり、ソール６がアッパー４から離脱しない釣り用履き物２の提供。【解決手段】釣り用履き物２は、アッパー４、ソール６、フェルト８、第一連結体１０及び内材２４を備えている。アッパー４は、本体１４、ベロ１６、芯板１８及び紐２２を備えている。第一連結体１０は、第一カバー３０及び第一テープ３２を備えている。第一カバー３０の下端は、糸３４によってソール６の前端と縫合されている。第一カバー３０は、アッパー４の甲３６と積層されている。第一カバー３０は、接着剤によって甲３６に接合されている。第一テープ３２は、糸３８によって第一カバー３０と縫合されている。第一テープ３２は折り返されている。この折り返しによって、ループ４０が形成されている。このループ４０に、紐２２が通されている。内材２４は、透湿防水性材料からなる。糸３４は、内材２４を貫通していない。【選択図】図４
2008188317.tif 000002
【特許請求の範囲】
【請求項１】
アッパー、
このアッパーに収容されており、防水性材料からなり、袋状である内材、
このアッパーの底に取り付けられたされたソール
並びに
アッパー及びソールの両方に接合された連結体
を備えた釣り用履き物。
【請求項２】
上記連結体のソールとの接合が、糸による縫合によって達成された請求項１に記載の履き物。
【請求項３】
上記連結体が、ソールの前端に接合されており、かつアッパーの甲に積層されている請求項１又は２に記載の履き物。
【請求項４】
上記アッパーが紐を備えており、上記連結体がループを備えており、このループに紐が通されている請求項３に記載の履き物。
【請求項５】
上記連結体がソールの後端に接合されており、かつアッパーのヒールと積層されている請求項１又は２に記載の履き物。
【請求項６】
防水性材料からなり袋状である内材が、アッパーに収容される工程、
ソールに連結体が接合される工程
及び
アッパーの底にソールが取り付けられ、かつ連結体がアッパーと積層される工程
を含む釣り用履き物の製造方法。
【発明の詳細な説明】
【技術分野】
【０００１】
本発明は、釣り人に着用される履き物に関する。
【背景技術】
【０００２】
釣り用履き物は、アッパー及びソールを備えている。ソールは、アッパーの底に接合されている。接合には、接着剤が用いられる。典型的な接着剤は、ポリウレタンを基材とする。
【０００３】
海釣りでは、波が履き物にかかり、この履き物の内部に海水が浸入することがある。雨天時の釣りでは、雨水が履き物の内部に浸入することがある。水の浸入は、釣り人に不快感を与える。
【０００４】
株式会社シマノ発行の「2005 Fishing Tackle Catalogue」の第１９７ページには、アッパーにゴアテックス（登録商標）のブーティが収容された釣り用履き物が開示されている。このブーティは防水性なので、このブーティにより水の浸入が阻止される。このブーティは透湿性なので、この履き物では蒸れが生じにくい。
【非特許文献１】株式会社シマノ発行の「2005 Fishing Tackle Catalogue」
【発明の開示】
【発明が解決しようとする課題】
【０００５】
接着剤は、経時変化によって劣化する。劣化により、ソールがアッパーから剥離してしまうことがある。海釣りでは、履き物が海水に濡れることが多い。この海水に含まれる塩分により、接着剤の劣化が促進される。特にポリウレタンを基材とする接着剤が海水に曝されると、加水分解によって激しい劣化が生じる。
【０００６】
履き物は、繰り返しの使用によりソールの摩耗又はアッパーの損傷が進行し、やがて寿命を迎える。通常の使用頻度であれば、寿命までにソールが剥離することはない。しかし、使用頻度が極めて少なく、かつ海水に濡れたまま放置されることが多い場合、摩耗又は損傷が進行していないにもかかわらず、ソールがアッパーから剥離することがある。釣り場においてソールがアッパーから離脱すると、釣り人は釣りを継続することができず、場所の移動にも苦労を伴う。
【０００７】
アッパーとソールとが縫合されれば、ソールの離脱は生じない。しかし、縫合によってブーティに孔が生じる。この孔を通じ、水が履き物の内部に浸入してしまう。
【０００８】
本発明の目的は、防水性であり、かつソールがアッパーから離脱しない釣り用履き物の提供にある。
【課題を解決するための手段】
【０００９】
本発明に係る釣り用履き物は、
アッパー、
このアッパーに収容されており、防水性材料からなり、袋状である内材、
このアッパーの底に取り付けられたされたソール
並びに
アッパー及びソールの両方に接合された連結体
を備える。
【００１０】
好ましくは、連結体のソールとの接合は、糸による縫合によって達成される。
【００１１】
好ましくは、連結体は、ソールの前端に接合され、かつアッパーの甲に積層される。好ましくは、アッパーは紐を備え、連結体がループを備える。このループに、紐が通される。連結体がソールの後端に接合され、かつアッパーのヒールと積層されてもよい。
【００１２】
本発明に係る釣り用履き物の製造方法は、
防水性材料からなり袋状である内材が、アッパーに収容される工程、
ソールに連結体が接合される工程
及び
アッパーの底にソールが取り付けられ、かつ連結体がアッパーと積層される工程
を含む。
【発明の効果】
【００１３】
この釣り用履き物では、連結体により、アッパーとソールとが堅固に接合される。この履き物では、ソールの離脱が生じない。この履き物では、内材の防水性が孔によって阻害されることがない。
【発明を実施するための最良の形態】
【００１４】
以下、適宜図面が参照されつつ、好ましい実施形態に基づいて本発明が詳細に説明される。
【００１５】
図１は、本発明の一実施形態に係る釣り用履き物２が示された正面図である。図２は、図１の履き物２の一部が示された平面図である。図３は、図１の履き物２が示された右側面図である。この履き物２は、アッパー４、ソール６、フェルト８、第一連結体１０及び第二連結体１２を備えている。
【００１６】
図４は、図２のIV−IV線に沿った拡大断面図である。この図４には、履き物２の爪先近傍が示されている。図５は、図３のＶ−Ｖ線に沿った拡大断面図である。図５には、履き物２の踵近傍が示されている。
【００１７】
アッパー４は、本体１４、ベロ１６、芯板１８、ループ２０及び紐２２を備えている。本体１４は、布製である。典型的には、本体１４にメッシュ状の布が用いられる。本体１４が、合成樹脂又はゴムからなってもよい。ベロ１６の前端近傍は、糸２４によって本体１４に縫合されている。ベロ１６は、本体１４と同様の材料からなる。ベロ１６が、スポンジを含んでもよい。芯板１８は、紙素材からなる。芯板１８は、アッパー４の底面を形成する。図４及び５に示されるように、本体１４の下端は、折り曲げられて芯板１８の下側に至っている。ループ２０は、本体１４に縫合されている。このループに、紐２２が通されている。
【００１８】
この履き物２はさらに、内材２４を備えている。内材２４は、アッパー４に収容されている。内材２４は、袋状である。内材２４は、ヒトの足を覆う形状を呈する。内材２４は、透湿防水性材料からなる。典型的な透湿防水性材料は、ゴアテックス（登録商標）である。この内材２４は、液体である水の分子を透過させない。この内材２４は、気体である水の分子を透過させうる。内材２４の上端近傍は、糸２６によりアッパー４に縫合されている。
【００１９】
ソール６は、ゴム又は合成樹脂を基材とする。典型的な基材は、エチレン−酢酸ビニル共重合体（ＥＶＡ）である。ソール６は、アッパー４の底に取り付けられている。この取付は、接着剤によって達成される。接着剤の基材ポリマーとしては、ポリウレタン、ポリクロロプレン及びアクリロニトリル−ブタジエン共重合体が例示される。ポリウレタンが好ましい。
【００２０】
フェルト８は、ソール６と積層されている。フェルト８は、図示されていない面ファスナーにより、ソール６に取り付けられている。典型的な面ファスナーは、ベルクロ社のマジックテープ（登録商標）である。フェルト８は、接地面２８を有する。この接地面２８は、地面と直接に接触する。フェルト８は、釣り場でのスリップを抑制する。地面との擦動によってフェルト８が摩耗した場合、フェルト８がソール６から剥がされる。そして、新たなフェルト８が面ファスナーによって取り付けられる。
【００２１】
図４に示されるように、第一連結体１０は、第一カバー３０と第一テープ３２とからなる。第一カバー３０は、合成樹脂からなる。典型的には、第一カバー３０に熱可塑性ポリウレタンエラストマーが用いられる。第一カバー３０の下端は、糸３４によってソール６の前端と縫合されている。第一カバー３０は、アッパー４の甲３６と積層されている。第一カバー３０は、接着剤によって甲３６に接合されている。接着剤の典型的な基材ポリマーは、ポリウレタンである。
【００２２】
第一テープ３２は、織布からなる。典型的な第一テープ３２の材質は、ポリプロピレンである。第一テープ３２は、糸３８によって第一カバー３０と縫合されている。第一テープ３２は折り返されている。この折り返しによって、ループ４０が形成されている。このループ４０に、紐２２が通されている。
【００２３】
図５に示されるように、第二連結体１２は、第二カバー４２と第二テープ４４とからなる。第二カバー４２は、合成樹脂からなる。典型的には、第二カバー４２に熱可塑性ポリウレタンエラストマーが用いられる。第二カバー４２の下端は、糸４６によってソール６の後端と縫合されている。第二カバー４２は、アッパー４の踵４８と積層されている。第二カバー４２は、接着剤によって踵４８に接合されている。接着剤の典型的な基材ポリマーは、ポリウレタンである。
【００２４】
第二テープ４４は、織布からなる。典型的な第二テープ４４の材質は、ポリプロピレンである。第二テープ４４は、糸５０によって第二カバー４２と縫合されている。第二テープ４４は、アッパー４の踵４８と積層されている。第二テープ４４は、接着剤によって踵４８に接合されている。接着剤の典型的な基材ポリマーは、ポリウレタンである。さらに第二テープ４４は、糸５２によってアッパー４と縫合されている。糸５２の位置は、アッパー４の間口５４の近傍である。この糸５２は、内材２４を貫通している。第二テープ４４は折り返されている。この折り返しによって、ループが形成されている。
【００２５】
この履き物２では、海水に曝されることにより、アッパー４とソール６との間の接着剤が劣化することがある。劣化により、アッパー４からソール６が剥離する。剥離は、爪先寄りで生じやすい。歩行により、ソール６の爪先寄りの屈曲が繰り返されるからである。この履き物２では、糸３４によってソール６の前端が第一カバー３０に縫合されており、接着剤によって第一カバー３０が甲３６と接合されているので、剥離が生じてもソール６がアッパー４から離脱しない。釣り場で剥離が生じても、釣り人は釣りを継続することができ、歩行によって場所を移動することもできる。
【００２６】
この履き物２では、糸４６によってソール６の後端が第二カバー４２に縫合されており、この第二カバー４２及び第二テープ４４が接着剤によって踵４８と接合されている。従って、ソール６の全面がアッパー４から剥離した場合でも、ソール６がアッパー４から離脱しない。剥離が爪先側のみで生じる履き物２の場合は、第二カバー４２及び第二テープ４４が設けられなくてもよい。
【００２７】
第一カバー３０と甲３６との間の接着剤が劣化した場合でも、紐２２、第一テープ３２及び第一カバー３０を介してソール６のアッパー４への連結が維持されるので、ソール６がアッパー４から離脱しない。第二カバー４２と踵４８との間の接着剤及び第二テープ４４と踵４８との間の接着剤が劣化した場合でも、糸５２、第二テープ４４及び第二カバー４２を介してソール６のアッパー４への連結が維持されるので、ソール６がアッパー４から離脱しない。
【００２８】
内材２４には、糸２６、５２の貫通によって孔が生じている。この孔は、比較的上方にある。糸２６、５２よりも下方では、内材２４に孔が存在しない。この内材２４により、履き物２の内部への水の浸入が阻止される。この履き物２は、防水性に優れる。釣り人は、この履き物２を快適に利用することができる。
【００２９】
内材２４は透湿性なので、発汗によって生じた水蒸気は、内材２４を通過して履き物２の外部へと排気されうる。釣り人は、蒸れを感じない。釣り人は、この履き物２を快適に利用することができる。
【００３０】
この履き物２の製造方法では、内材２４が袋状に形成される。この内材２４が、アッパー４に収容される。内材２４の上端近傍は、糸２６によりアッパー４に縫合される。一方、糸３８によって第一テープ３２が第一カバー３０に縫合され、糸５０によって第二テープ４４が第二カバー４２に縫合される。第一カバー３０は、糸３４によってソール６の前端に縫合される。第二カバー４２は、糸４６によってソール６の後端に縫合される。換言すれば、ソール６に第一連結体１０及び第二連結体１２が接合される。このソール６に、接着剤によってアッパー４の底が取り付けられ、同時に第一連結体１０及び第二連結体１２がアッパー４と積層される。
【００３１】
この製造方法では、糸３４、４６による縫合のとき、内材２４に孔が生じない。この製造方法により、防水性に優れ、しかもアッパー４からのソール６の離脱が生じにくい靴が得られる。
【００３２】
接着剤以外の手段で、第一カバー３０及び第二カバー４２がアッパー４に積層されてもよい。他の手段としては、リベットが挙げられる。
【産業上の利用可能性】
【００３３】
本発明に係る履き物は、種々の釣り場において利用されうる。本発明に係る履き物には、ブーツ及びウェーダーが含まれる。
【図面の簡単な説明】
【００３４】
【図１】図１は、本発明の一実施形態に係る釣り用履き物が示された正面図である。
【図２】図２は、図１の履き物の一部が示された平面図である。
【図３】図３は、図１の履き物が示された右側面図である。
【図４】図４は、図２のIV−IV線に沿った拡大断面図である。
【図５】図５は、図３のＶ−Ｖ線に沿った拡大断面図である。
【符号の説明】
【００３５】
２・・・釣り用履き物
４・・・アッパー
６・・・ソール
８・・・フェルト
１０・・・第一連結体
１２・・・第二連結体
１４・・・本体
１６・・・ベロ
１８・・・芯板
２２・・・紐
２４・・・内材
２６、３８、４６、５０、５２・・・糸
３０・・・第一カバー
３２・・・第一テープ
４２・・・第二カバー
４４・・・第二テープ
４８・・・踵
【図１】
2008188317.tif 000003
【図２】
2008188317.tif 000004
【図３】
2008188317.tif 000005
【図４】
2008188317.tif 000006
【図５】
2008188317.tif 000007